(57)【要約】通信端末が通信を行う際に必要とする帯域に応じた周波数帯において通信端末が通信を実行することができる移動通信端末を提供することを目的とする。本発明にかかる移動通信端末は、第１の周波数帯を利用して移動通信ネットワーク（２０）へ接続する通信部（１１）と、第２の周波数帯を利用して移動通信ネットワーク（２０）へ接続する通信部（１２）と、移動通信ネットワーク（２０）を介した通信を行う際に、移動通信ネットワーク（２０）を介した通信において実行するサービスを示すサービス種別を用いて通信部（１１）及び通信部（１２）のうち少なくとも１つを利用して移動通信ネットワーク（２０）へ接続することを決定する決定部（１３）と、を備える。
2016147602.tif 000002
【特許請求の範囲】
【請求項１】
第１の周波数帯を利用して移動通信ネットワークへ接続する第１の通信手段と、
第２の周波数帯を利用して前記移動通信ネットワークへ接続する第２の通信手段と、
前記移動通信ネットワークを介した通信を行う際に、前記移動通信ネットワークを介した通信において実行するサービスを示すサービス種別を用いて前記第１の通信部及び前記第２の通信部のうち少なくとも１つを利用して前記移動通信ネットワークへ接続することを決定する決定手段と、を備える移動通信端末。
【請求項２】
前記決定手段は、
前記サービス種別を用いて、さらに、適用する無線アクセス技術（Radio Access Technology）を決定する、請求項１に記載の移動通信端末。
【請求項３】
前記決定手段は、
前記移動通信ネットワークへ接続することができる前記無線アクセス技術に関する情報を前記第１の通信部もしくは前記第２の通信部を介して前記移動通信ネットワークへ送信する、請求項２に記載の移動通信端末。
【請求項４】
前記決定手段は、
前記サービス種別を用いて、さらに、キャリアアグリゲーションにおいて用いる周波数帯を決定する、請求項１乃至３のいずれか１項に記載の移動通信端末。
【請求項５】
前記決定手段は、
前記移動通信端末への着信時に、前記第１の通信部及び前記第２の通信部の少なくとも一方を介して前記移動通信ネットワークから送信された前記サービス種別に関する情報を受信する、請求項１乃至４のいずれか１項に記載の移動通信端末。
【請求項６】
前記決定手段は、
前記移動通信ネットワークから接続を指示された周波数帯を利用するように、前記第１の通信部及び前記第２の通信部の少なくとも１つを利用して前記移動通信ネットワークへ接続することを決定する、請求項１乃至５のいずれか１項に記載の移動通信端末。
【請求項７】
前記決定手段は、
前記サービス種別が音声通信を示す場合、前記第１の通信部及び前記第２の通信部の内、利用する周波数帯が低い通信部を利用して前記移動通信ネットワークへ接続することを決定する、請求項１乃至６のいずれか１項に記載の移動通信端末。
【請求項８】
移動通信ネットワークに配置された通信制御装置であって、
移動通信端末が前記移動通信ネットワークを介した通信を行う際に、前記移動通信端末から送信された前記移動通信端末が利用可能な周波数帯に関する情報を受信する通信手段と、
前記移動通信端末が前記移動通信ネットワークを介した通信において実行するサービスのサービス種別を用いて、前記移動通信端末が利用する周波数帯を決定し、決定した周波数帯に関する情報を前記移動通信端末へ送信する選択手段と、を備える通信制御装置。
【請求項９】
前記選択手段は、
前記サービス種別を用いて、さらに、適用する無線アクセス技術（Radio Access Technology）を決定する、請求項８に記載の通信制御装置。
【請求項１０】
前記選択手段は、
前記サービス種別を用いて、さらに、キャリアアグリゲーションにおいて用いる周波数帯を決定する、請求項８又は９に記載の通信制御装置。
【請求項１１】
前記移動通信端末への着信時に、
前記選択手段は、
前記サービス種別が設定されたDownlink Date Notificationメッセージを受信する、請求項８乃至１０のいずれか１項に記載の通信制御装置。
【請求項１２】
移動通信ネットワークを介した通信を行う際に、前記移動通信ネットワークを介した通信において実行するサービスのサービス種別を用いて、第１の周波数帯を利用して前記移動通信ネットワークへ接続する第１の通信部、及び、第２の周波数帯を利用して前記移動通信ネットワークへ接続する第２の通信部のうち少なくとも１つを利用して前記移動通信ネットワークへ接続することを決定する、移動通信端末における通信制御方法。
【請求項１３】
移動通信端末が移動通信ネットワークを介した通信を行う際に、前記移動通信端末から送信された前記移動通信端末が利用可能な周波数帯に関する情報を受信し、
前記移動通信端末が前記移動通信ネットワークを介した通信において実行するサービスのサービス種別を用いて、前記移動通信端末が利用する周波数帯を決定し、
決定した周波数帯に関する情報を前記移動通信端末へ送信する、通信制御装置における通信制御方法。
【請求項１４】
移動通信ネットワークを介した通信を行う際に、前記移動通信ネットワークを介した通信において実行するサービスのサービス種別を用いて、第１の周波数帯を利用して前記移動通信ネットワークへ接続する第１の通信部、及び、第２の周波数帯を利用して前記移動通信ネットワークへ接続する第２の通信部のうち少なくとも１つを利用して前記移動通信ネットワークへ接続することを決定することをコンピュータに実行させるプログラムが格納された非一時的なコンピュータ可読媒体。
【請求項１５】
移動通信端末が移動通信ネットワークを介した通信を行う際に、前記移動通信端末から送信された前記移動通信端末が利用可能な周波数帯に関する情報を受信し、
前記移動通信端末が前記移動通信ネットワークを介した通信において実行するサービスのサービス種別を用いて、前記移動通信端末が利用する周波数帯を決定し、
決定した周波数帯に関する情報を前記移動通信端末へ送信することをコンピュータに実行させるプログラムが格納された非一時的なコンピュータ可読媒体。
【発明の詳細な説明】
【技術分野】
【０００１】
本発明は移動通信端末、通信制御装置、通信制御方法及びプログラムに関し、特に複数の周波数帯を利用可能な移動通信端末、通信制御装置、通信制御方法及びプログラムに関する。
【背景技術】
【０００２】
近年、市場に供給されている携帯電話端末は、複数のＲＡＴ（Radio Access Technology）に対応している。さらに、携帯電話端末は、複数のＲＡＴのうちいずれかのＲＡＴを利用した通信を行うことができる。ＲＡＴには、例えば、３ＧＰＰ（3rd Generation Partnership Project）において規定されている無線アクセス方式である、ＧＳＭ（登録商標）（Global System for Mobile communications）、Ｗ−ＣＤＭＡ（Wideband Code Division Multiple Access）もしくはＬＴＥ（Long Term Evolution）等がある。さらに、３ＧＰＰにおいて規定されている無線アクセス方式に加えて、無線ＬＡＮ通信を行うことができる携帯電話端末も増加している。【０００３】
一般的に、各ＲＡＴは、異なる周波数帯の電波を使用している。そのため、各ＲＡＴにおける電波の伝搬特性は、他のＲＡＴと異なる。また、各ＲＡＴは、複数の周波数帯の電波を使用することもある。例えば、無線ＬＡＮ（Local Area Network）通信においては、２．４ＧＨｚ帯の周波数帯と、５ＧＨｚ帯の周波数帯とに対応する規格も存在する。【０００４】
携帯電話端末は、複数のＲＡＴを検出した場合、最新の無線通信方式のＲＡＴを利用して通信を行うことが一般的である。なぜなら、最新の無線通信方式のＲＡＴは、一番高速な伝送を提供することができることが多い。そのため、携帯電話端末が最新の無線通信方式のＲＡＴを選択することによって、携帯電話端末におけるサービス性が向上するからである。【０００５】
また、携帯電話端末は、それぞれのＲＡＴにおける信号の強度を測定し、受信品質の高い信号を送信しているＲＡＴを選択することもある。【０００６】
非特許文献１には、通信端末が複数のＲＡＴにおける通信を利用することができる場合における着信処理の流れを規定するＩＳＲ（Idle mode Signaling Reduction）機能が記載されている。例えば、通信端末は、ＲＮＣ（Radio Network Controller）と、ＲＮＣとは異なる無線通信方式を利用するｅＮＢ（evolved NodeB）とからページングが実行された場合に、一方のページングに対する応答処理を行う。また、ネットワーク側も、通信端末から応答が行われた方の無線通信方式を利用して、以降の通信を継続する。【０００７】
特許文献１には、音声通信かデータ通信か等に応じて、異なるＲＡＴ間のハンドオーバ可否を判断することが記載されている。
【先行技術文献】
【特許文献】
【０００８】
【特許文献１】米国特許第７２５７４０３号明細書
【非特許文献】
【０００９】
【非特許文献１】３ＧＰＰ ＴＳ２３．４０１ Ｖ１３．１．０ （２０１４−１２） ５．３．４ Ｓｅｒｖｉｃｅ Ｒｅｑｕｅｓｔ ｐｒｏｃｅｄｕｒｅｓ
【発明の概要】
【発明が解決しようとする課題】
【００１０】
非特許文献１及び特許文献１のように通信端末が複数のＲＡＴにおける通信を利用することができる環境において、非特許文献１に記載されている処理を実行した場合、異なるＲＡＴが利用可能な場合に、通信端末はそれらのいずれかを利用して通信を行う。この場合、複数の通信端末が、最新のＲＡＴに集中して通信してしまう可能性がある、さらに、高速通信を行うことができる高周波数帯に集中してしまう可能性がある、という課題がある。また、特許文献１のように音声通信かデータ通信か等のハンドオーバ時に使用する情報要素を用いて、異なるＲＡＴへの接続可否を判断しても次のような課題がある。音声通信かデータ通信か等のハンドオーバ時に使用する情報要素を用いて異なるＲＡＴへの接続可否を判断した場合、通信端末が、異なるＲＡＴへ接続した後も、同じ周波数帯を利用し続ける可能性がある。そのため、ある周波数帯への利用の集中が改善されず、無線リソースを有効に活用することができないという課題がある。【００１１】
本発明の目的は、無線リソースを有効に活用するために、適切な周波数帯を使用することができる移動通信端末、通信制御装置、通信制御方法及びプログラムを提供することにある。
【課題を解決するための手段】
【００１２】
本発明の第１の態様にかかる移動通信端末は、第１の周波数帯を利用して移動通信ネットワークへ接続する第１の通信部と、第２の周波数帯を利用して前記移動通信ネットワークへ接続する第２の通信部と、前記移動通信ネットワークを介した通信を行う際に、前記移動通信ネットワークを介した通信において実行するサービスを示すサービス種別を用いて前記第１の通信部及び前記第２の通信部のうち少なくとも１つを利用して前記移動通信ネットワークへ接続することを決定する決定部と、を備えるものである。【００１３】
本発明の第２の態様にかかる通信制御装置は、移動通信ネットワークに配置された通信制御装置であって、移動通信端末が前記移動通信ネットワークを介した通信を行う際に、前記移動通信端末から送信された前記移動通信端末が利用可能な周波数帯に関する情報を受信する通信部と、前記移動通信端末が前記移動通信ネットワークを介した通信において実行するサービスのサービス種別を用いて、前記移動通信端末が利用する周波数帯を決定し、決定した周波数帯に関する情報を前記移動通信端末へ送信する選択部と、を備えるものである。【００１４】
本発明の第３の態様にかかる通信制御方法は、移動通信ネットワークを介した通信を行う際に、前記移動通信ネットワークを介した通信において実行するサービスのサービス種別を用いて、第１の周波数帯を利用して前記移動通信ネットワークへ接続する第１の通信部、及び、第２の周波数帯を利用して前記移動通信ネットワークへ接続する第２の通信部のうち少なくとも１つを利用して前記移動通信ネットワークへ接続することを決定するものである。【００１５】
本発明の第４の態様にかかるプログラムは、移動通信ネットワークを介した通信を行う際に、前記移動通信ネットワークを介した通信において実行するサービスのサービス種別を用いて、第１の周波数帯を利用して前記移動通信ネットワークへ接続する第１の通信部、及び、第２の周波数帯を利用して前記移動通信ネットワークへ接続する第２の通信部のうち少なくとも１つを利用して前記移動通信ネットワークへ接続することを決定することをコンピュータに実行させるものである。
【発明の効果】
【００１６】
本発明により、通信端末が通信を行う際に必要とする帯域に応じた周波数帯において通信端末が通信を実行することができる移動通信端末、通信制御装置、通信制御方法及びプログラムを提供することができる。
【図面の簡単な説明】
【００１７】
【図１】実施の形態１にかかる移動通信端末の構成図である。
【図２】実施の形態２にかかる通信システムの構成図である。
【図３】実施の形態２にかかるＵＥの構成図である。
【図４】実施の形態２にかかる異なる周波数帯を利用する複数のＲＡＴのサービスエリアを説明する図である。
【図５】実施の形態２にかかる、周波数帯とその周波数帯において確保することができる帯域との関係を説明する図である。
【図６】実施の形態２にかかるセルの構成図である。
【図７】実施の形態２にかかるＲＡＴ選択処理の流れを示す図である。
【図８】実施の形態２にかかるＲＡＴ選択処理の流れを示す図である。
【図９】実施の形態３にかかるＭＭＥの構成図である。
【図１０】実施の形態３にかかるＲＡＴ選択処理の流れを示す図である。
【図１１】実施の形態４にかかるキャリアアグリゲーション処理の流れを示す図である。
【図１２】実施の形態４にかかるキャリアアグリゲーション処理の流れを示す図である。
【図１３】実施の形態５にかかるキャリアアグリゲーション処理の流れを示す図である。
【図１４】実施の形態６にかかるネットワーク接続処理の流れを示す図である。
【図１５】実施の形態６にかかるネットワーク接続処理の流れを示す図である。
【図１６】実施の形態７にかかるネットワーク接続処理の流れを示す図である。
【発明を実施するための形態】
【００１８】
（実施の形態１）
以下、図面を参照して本発明の実施の形態について説明する。図１を用いて本発明の実施の形態１にかかる移動通信端末１０の構成例について説明する。移動通信端末１０は、携帯電話端末、スマートフォンもしくはタブレット端末等であってもよい。また、移動通信端末１０は、プロセッサがメモリに格納されたプログラムを実行することによって動作するコンピュータ装置であってもよい。
【００１９】
図１の移動通信端末１０は、通信部（送受信部）１１、通信部（送受信部）１２及び決定部１３を有している。通信部１１、通信部１２及び決定部１３は、プロセッサがメモリに格納されているプログラムを実行することによって処理が実行されるソフトウェアもしくはモジュール等であってもよい。もしくは、通信部１１、通信部１２及び決定部１３は、回路等によって構成されてもよい。
【００２０】
通信部１１は、周波数帯Ａを利用して移動通信ネットワーク２０へ接続する。周波数帯Ａは、例えば、８００ＭＨｚ帯、１．５ＧＨｚ帯、２ＧＨｚ帯、５ＧＨｚ帯等のいずれかの周波数帯であってもよい。移動通信ネットワーク２０は、移動通信事業者が管理するネットワークである。通信部１１が移動通信ネットワーク２０と接続するとは、例えば、通信部１１が、移動通信ネットワーク２０を構成する基地局等と通信可能な状態であることであってもよい。
【００２１】
通信部１２は、周波数帯Ａとは異なる周波数帯Ｂを利用して移動通信ネットワーク２０へ接続する。周波数帯Ｂは、８００ＭＨｚ帯、１．５ＧＨｚ帯、２ＧＨｚ帯、５ＧＨｚ帯等のいずれかの周波数帯であってもよい。例えば、周波数帯Ａが８００ＭＨｚ帯である場合、周波数帯Ｂは、２ＧＨｚ帯等とする。
【００２２】
決定部１３は、移動通信端末１０が移動通信ネットワーク２０を介した通信を行う際に、移動通信ネットワーク２０を介した通信において実行するサービスを示すサービス種別を用いて、通信部１１及び通信部１２のうち少なくとも１つを利用して移動通信ネットワーク２０へ接続することを決定する。
【００２３】
移動通信ネットワーク２０を介した通信とは、例えば、移動通信端末１０が移動通信ネットワーク２０を介して他の移動通信端末もしくはサーバ装置等と音声通信もしくはデータ通信を行うことであってもよい。サービス種別とは、移動通信端末１０が送受信するデータの種別に応じて定まるサービスを識別する情報であり、例えば、音声通信、Ｗｅｂアクセス、テキストメッセージ通信もしくは動画配信等であってもよい。
【００２４】
一般的に、使用する帯域幅が広くなるほど、通信速度が速くなる。そのため、広い帯域幅を確保することができる高周波数帯は、狭い帯域幅しか確保できない低周波数帯と比較して、通信速度を速くすることができる。そのため、決定部１３は、例えば、サービス種別に示されるサービスが、高速通信を必要としない場合、８００ＭＨｚ帯を利用している通信部１１を選択することを決定してもよい。また、決定部１３は、サービス種別に示されるサービスが、高速通信を必要とする場合（例えば、動画配信等の場合）、２ＧＨｚ帯を利用している通信部１２を選択することを決定してもよく、もしくは、通信部１１及び通信部１２の両方を選択することを決定してもよい。
【００２５】
以上説明したように、図１の移動通信端末１０は、移動通信ネットワーク２０を介した通信において実行するサービスに応じて、使用する周波数帯を決定することができる。そのため、例えば、移動通信端末１０は、高速通信を必要としないサービスを実行する場合には、低い周波数帯を利用する通信部を選択するといった制御を行うことができる。これにより、移動通信ネットワーク２０は、移動通信端末１０に対して適切な無線リソースを確保することでき、また、複数の移動通信端末が、高速通信を行うことができる高周波数帯を集中して使用することを防止することができる。
【００２６】
（実施の形態２）
続いて、図２を用いて本発明の実施の形態２にかかる通信システムの構成例について説明する。図２の通信システムは、ＵＥ（User Equipment）３０、ＢＳＣ（Base Station Controller）４１、ＲＮＣ（Radio Network Controller）４２、ｅＮＢ（evolved NodeB）４３、ｅｅＮＢ（enhanced eNB）４４、ＳＧＳＮ（Serving GPRS Support Node）５０、ＭＭＥ（Mobility Management Entity）６０、ｅＭＭＥ（evolved MME）７０、ＳＧＷ（Serving Gateway）８０、ＰＧＷ（Packet Date Network Gateway）８１、ＰＣＲＦ（Policy and Charging Rules Function）８２、サービスサーバ８３及び外部ネットワーク８４を有している。
【００２７】
ＢＳＣ４１、ＲＮＣ４２、ｅＮＢ４３、ｅｅＮＢ４４、ＳＧＳＮ５０、ＭＭＥ６０、ｅＭＭＥ７０、ＳＧＷ８０、ＰＧＷ８１及びＰＣＲＦ８２は、３ＧＰＰにおいて動作が規定されており、移動通信ネットワークを構成するノード装置とする。これらは、すなわち、ＢＳＣ４１、ＲＮＣ４２、ｅＮＢ４３、ｅｅＮＢ４４、ＳＧＳＮ５０、ＭＭＥ６０、ｅＭＭＥ７０、ＳＧＷ８０、ＰＧＷ８１及びＰＣＲＦ８２によって構成される移動通信ネットワークは、図１の移動通信ネットワーク２０に相当する。
【００２８】
ＵＥ３０は、３ＧＰＰにおける移動通信端末の総称であり、図１の移動通信端末１０に相当する。ＢＳＣ４１は、いわゆる第２世代（２Ｇ）と称される無線アクセス方式を用いた通信を行う装置である。ＲＮＣ４２は、いわゆる第３世代（３Ｇ）と称される無線アクセス方式を用いた通信を行う装置である。ｅＮＢ４３は、いわゆる第４世代（４Ｇ）もしくはＬＴＥ（Long Term Evolution）と称される無線アクセス方式を用いた通信を行う装置である。ｅｅＮＢ４４は、いわゆる第５世代（５Ｇ）と称される無線アクセス方式を用いた通信を行う装置である。ｅｅＮＢ４４は、ＬＴＥ以降に新たに規定される無線アクセス方式を用いた通信を行うことができる基地局である。
【００２９】
ＳＧＳＮ５０は、ＢＳＣ４１及びＲＮＣ４２を集約する装置であり、ＢＳＣ４１と、ＳＧＷ８０との間において送受信されるＵ（User）−Ｐｌａｎｅデータ及びＣ（Control）−Ｐｌａｎｅデータを中継する。Ｕ−Ｐｌａｎｅデータは、例えば、ユーザデータと称されてもよく、Ｃ−Ｐｌａｎｅデータは、制御データと称されてもよい。ＭＭＥ６０は、ｅＮＢ４３とＳＧＷ８０との間において送受信されるＣ−Ｐｌａｎｅデータを中継する。ｅＭＭＥ７０は、ｅｅＮＢ４４とＳＧＷ８０との間において送受信されるＣ−Ｐｌａｎｅデータを中継する。
【００３０】
ＳＧＷ８０は、ＲＮＣ４２、ＳＧＳＮ５０、ｅＮＢ４３及びｅｅＮＢ４４と、ＰＧＷ８１との間において送受信されるＵ−Ｐｌａｎｅデータを中継する。ＰＧＷ８１は、ＵＥ３０、ＢＳＣ４１、ＲＮＣ４２、ｅＮＢ４３、ｅｅＮＢ４４、ＳＧＳＮ５０、ＭＭＥ６０、ｅＭＭＥ７０、ＳＧＷ８０、ＰＧＷ８１及びＰＣＲＦ８２によって構成される移動通信ネットワーク２０とは異なる外部ネットワーク８４と接続されるゲートウェイ装置である。外部ネットワーク８４は、他の移動通信事業者が管理する移動通信ネットワークであってもよく、固定通信を行うためのネットワークであってもよく、ＩＳＰ（Internet Service Provider）等が管理するネットワークであってもよい。
【００３１】
ＰＣＲＦ８２は、移動通信ネットワーク２０における通信ポリシーもしくは課金ポリシー等を管理する装置である。サービスサーバ８３は、移動通信ネットワーク２０もしくは外部ネットワーク８４において管理されるサーバであり、ＵＥ３０へ通信サービスを提供する。
【００３２】
続いて、図３を用いて本発明の実施の形態２にかかるＵＥ３０の構成例について説明する。ＵＥ３０は、アプリケーション３１、ＲＡＴ選択部３２及び通信部３３〜３６を有している。アプリケーション３１、ＲＡＴ選択部３２及び通信部３３〜３６は、プロセッサがメモリに格納されているプログラムを実行することによって処理が実行されるソフトウェアもしくはモジュール等であってもよい。もしくは、ＲＡＴ選択部３２、通信部３３〜３６は、回路等によって構成されてもよい。
【００３３】
通信部３３〜３６は、それぞれ異なる周波数帯を用いて、対向する装置と通信を行う。対向する装置は、例えば、ＢＳＣ４１、ＲＮＣ４２、ｅＮＢ４３及びｅｅＮＢ４４であってもよい。
【００３４】
例えば、通信部３３は、８００ＭＨｚ帯を利用して無線通信を行ってもよく、通信部３４は、１．５ＧＨｚ帯を利用して無線通信を行ってもよく、通信部３５は、３ＧＨｚ帯を利用して無線通信を行ってもよく、通信部３６は、３０ＧＨｚ帯を利用して無線通信を行ってもよい。
【００３５】
アプリケーション３１は、例えば、音声通話、Ｗｅｂアクセス、音楽再生もしくは動画再生等を行うアプリケーションであってもよい。ＲＡＴ選択部３２は、通信部３３〜通信部３６を介して移動通信ネットワーク２０から送信されたサービス種別に関する情報を受け取る。ＲＡＴ選択部３２は、例えば、サービス種別に関する情報を、ＵＥ３０に対する着信処理が行われる場合に、Ｃ−Ｐｌａｎｅデータとして受け取る。
【００３６】
さらに、ＲＡＴ選択部３２は、サービス種別に応じて、利用するＲＡＴ及び周波数帯を決定する。ここで、図４を用いて異なる周波数帯を利用する複数のＲＡＴのサービスエリアについて説明する。
【００３７】
図４においては、横軸にサービスエリアの広さを示している。また、２Ｇは、ＢＳＣ４１を用いて形成される通信エリアであり、３Ｇは、ＲＮＣ４２を用いて形成される通信エリアであり、４Ｇは、ｅＮＢ４３を用いて形成される通信エリアであり、５Ｇは、ｅｅＮＢ４４を用いて形成される通信エリアである。
【００３８】
ここで、図５を用いて、周波数帯と、その周波数帯において確保することができる帯域との関係について説明する。図５に示すように、一般的に、通信方式もしくは世代が古いＲＡＴほど、使用する周波数帯が低く、波長の長い電波を使用する。そのため、一つのＢＳＣ４１もしくはＲＮＣ４２等が形成する通信エリアを広くすることができる。しかし、使用する周波数帯を低くすることによって、確保することができる帯域が狭くなるため、高速通信を行うことができない。
【００３９】
一方、通信方式もしくは世代が新しいＲＡＴになるにつれて、使用する周波数帯が高くなり、波長の短い電波を使用する。そのため、一つのｅＮＢ４３もしくはｅｅＮＢ４４等が形成する通信エリアは狭くなる。しかし、使用する周波数帯を高くすることによって、確保することができる帯域が広くなるため、高速通信を行うことができる。
【００４０】
例えば、８００ＭＨｚ帯においては、５〜１０ＭＨｚの周波数帯域を確保し、１．５ＧＨｚ帯においては、２０ＭＨｚの周波数帯域を確保し、３ＧＨｚ帯においては、４０ＭＨｚの周波数帯域を確保し、３０ＧＨｚ帯においては、１００ＭＨｚの周波数帯域を確保してもよい。
【００４１】
また、通信方式もしくは世代が新しいＲＡＴが低周波帯を利用することを妨げるものではなく、通信方式もしくは世代が古いＲＡＴが高周波数帯を利用することを妨げるものではない。言い換えると、一つの周波数帯を複数のＲＡＴが使用することも可能とする。
【００４２】
例えば、図６は、周波数帯が高くなるにつれて、通信エリアが小さくなるセルの構成図を示している。また、図６においては、８００ＭＨｚ帯は、２Ｇ〜５ＧのＲＡＴが利用可能とし、１．５ＧＨｚ帯は、３Ｇ〜５ＧのＲＡＴが利用可能とし、３ＧＨｚ帯は、４Ｇ及び５ＧのＲＡＴが利用可能とし、３０ＧＨｚ帯は、５ＧのＲＡＴが利用可能であることを示している。
【００４３】
図４に戻り、図４の横軸のサービスエリアに含まれるＺｏｎｅ１は、２Ｇ、３Ｇ、４Ｇ及び５Ｇに関するＲＡＴを用いて通信を行うことができるとする。Ｚｏｎｅは、サービスエリアに含まれる特定のエリアを示す。Ｚｏｎｅ２は、２Ｇ及び４Ｇに関するＲＡＴを用いて通信を行うことができるとする。Ｚｏｎｅ３は、３Ｇに関するＲＡＴを用いて通信を行うことができるとする。また、図４から明らかなように、２Ｇ、３Ｇ、４Ｇ、５Ｇの順番にサービスエリアが狭くなっている。
【００４４】
図３に戻り、ＲＡＴ選択部３２の選択処理について説明する。ここでは、ＵＥ３０がＺｏｎｅ１に位置する場合について説明する。はじめに、ＲＡＴ選択部３２が、音声通信を示すサービス種別を受け取った場合について説明する。音声通信は、一般的に、２０ｋｂｐｓ〜１００ｋｂｐｓ程度の通信速度を実現することができる狭帯域を利用することができればよい。そのため、ＲＡＴ選択部３２は、サービス種別として音声通信が示されている場合、低い周波数帯を使用するＲＡＴを選択してもよい。低い周波数帯における電波は波長が長く、波長が長い電波は、ビル等の障害物がある場合であっても、ビル等を回り込むことができるため、つながりやすく移動中でも通信が途切れにくい。音声通信は、リアルタイムのデータ通信を必要とするため、低い周波数帯を利用することが好ましい。例えば、ＲＡＴ選択部３２は、音声通信を示すサービス種別を受け取った場合、ＲＡＴとして低い周波数帯を利用する２Ｇもしくは３Ｇを選択してもよい。さらに、ＲＡＴ選択部３２は、４Ｇ、５ＧのＲＡＴが複数の周波数帯において利用可能である場合、４Ｇ、５ＧのＲＡＴが利用可能な複数の周波数帯のうち、最も低い周波数帯を選択してもよい。
【００４５】
次に、ＲＡＴ選択部３２が、動画配信を示すサービス種別を受け取った場合について説明する。動画配信は、一般的に、画像の解像度が高くなるほど広帯域を利用した高速通信を行う必要がある。そのため、ＲＡＴ選択部３２は、サービス種別として動画配信が示されている場合、高い周波数帯を使用するＲＡＴを選択してもよい。例えば、ＲＡＴ選択部３２は、動画配信を示すサービス種別を受け取った場合、ＲＡＴとして高い周波数帯を利用する４Ｇもしくは５Ｇを選択してもよい。さらに、ＲＡＴ選択部３２は、５ＧのＲＡＴが複数の周波数帯において利用可能である場合、５ＧのＲＡＴが利用可能な複数の周波数帯のうち、最も高い周波数帯を選択してもよい。
【００４６】
ＲＡＴ選択部３２は、選択したＲＡＴが利用する周波数帯に応じて、通信部３３〜３６のいずれかの通信部を介して移動通信ネットワーク２０と接続を行う。もしくは、ＲＡＴ選択部３２は、通信部３３〜３６から２以上の通信部を選択し、２以上の通信部を介して移動通信ネットワーク２０と接続を行ってもよい。
【００４７】
続いて、図７及び図８を用いて本発明の実施の形態２にかかるＲＡＴ選択処理の流れについて説明する。図７及び図８は、ＵＥ３０に対して着信が発生した場合の処理の流れを示している。
【００４８】
はじめに、ＰＧＷ８１は、ＵＥ３０を宛先とするダウンロードパケット（DL Packet）を受信する（Ｓ１１）。次に、ＰＧＷ８１は、受信したダウンロードパケットをＳＧＷ８０へ送信する（Ｓ１２）。ＰＧＷ８１は、ＳＧＷ８０との間に設定したＧＴＰ（General packet radio service Tunneling Protocol）−Ｕトンネルを介してダウンロードパケットをＳＧＷ８０へ送信する。ＰＧＷ８１は、ステップＳ１２において、ダウンロードパケットとともに、ＵＥ３０が実行するサービスを示すサービス種別に関する情報も併せてＳＧＷ８０へ送信する。
【００４９】
例えば、ＰＧＷ８１は、ステップＳ１１において受信したダウンロードパケットに対してＤＰＩ（Deep Packet Inspection）を実行することによって、ダウンロードパケットのサービス種別を判定してもよい。ＤＰＩは、例えば、ＰＧＷ８１がステップＳ１１において受信したダウンロードパケットの内容を分析することである。ＰＧＷ８１は、ＤＰＩを実行することによって、ダウンロードパケットが、どのサービスに関するデータであるかを判定することができる。
【００５０】
もしくは、ＰＧＷ８１は、ＰＣＲＦ８２から送信されるＣ−Ｐｌａｎｅデータを用いて、着信先のＵＥ３０が実行するサービスを示すサービス種別を判定してもよい。例えば、ＩＭＳ（IP Multimedia Subsystem）による呼制御が行われるＶｏＩＰ（Voice over IP）サービスが実行される場合、ＰＧＷ８１は、ＰＣＲＦ８２を介してＩＭＳから、ＵＥ３０がＶｏＩＰを実行することを示すＣ−Ｐｌａｎｅデータを受信する。これより、ＰＧＷ８１は、ＩＭＳから送信されたＣ−Ｐｌａｎｅデータを受信することによって、サービス種別を音声通信と判定してもよい。
【００５１】
次に、ＳＧＷ８０は、ＵＥ３０へ着信を通知するために、ＳＧＳＮ５０、ＭＭＥ６０及びｅＭＭＥ７０へＤＤＮ（Downlink Data Notification）メッセージを送信する（Ｓ１３）。ＳＧＷ８０は、ＵＥ３０の加入者情報が登録されているＳＧＳＮ５０、ＭＭＥ６０及びｅＭＭＥ７０へ、サービス種別を設定したＤＤＮメッセージを送信する。
【００５２】
例えば、ＵＥ３０は、図４のＺｏｎｅ１に位置する場合、２Ｇ〜５ＧのＲＡＴを利用した通信を行うことができる。そのため、このような場合、ＵＥ３０に関する加入者情報は、ＳＧＳＮ５０、ＭＭＥ６０及びｅＭＭＥ７０に登録されているとする。また、ＵＥ３０がＺｏｎｅ２に位置する場合、ＵＥ３０は、２Ｇ及び４ＧのＲＡＴを利用した通信を行うことができる。このような場合、ＵＥ３０に関する加入者情報は、ＳＧＳＮ５０及びＭＭＥ６０に登録されているとする。
【００５３】
例えば、ＵＥ３０、ＳＧＳＮ５０、ＭＭＥ６０及びｅＭＭＥ７０は、ＩＳＲ機能を活性化することによって、ＵＥ３０に関する加入者情報を、ＳＧＳＮ５０、ＭＭＥ６０及びｅＭＭＥ７０に登録する。
【００５４】
次に、ＳＧＳＮ５０は、ＢＳＣ４１及びＲＮＣ４２へページングを指示するＰａｇｅメッセージを送信する（Ｓ１４）。また、ＭＭＥ６０は、ｅＮＢ４３へページングを指示するＰａｇｅメッセージを送信し（Ｓ１５）、ｅＭＭＥ７０は、ｅｅＮＢ４４へページングを指示するＰａｇｅメッセージを送信する（Ｓ１６）。ＳＧＳＮ５０、ＭＭＥ６０及びｅＭＭＥ７０は、Ｐａｇｅメッセージを送信する。
【００５５】
次に、ＢＳＣ４１、ＲＮＣ４２、ｅＮＢ４３及びｅｅＮＢ４４は、Ｐａｇｅメッセージを受信すると、それぞれ自装置の通信エリアに位置するＵＥに対してページング処理を実施する（Ｓ１７）。
【００５６】
次に、ＵＥ３０は、ページング処理に対する応答メッセージとして、ＢＳＣ４１、ＲＮＣ４２、ｅＮＢ４３及びｅｅＮＢ４４のいずれかの装置を介してＳＧＳＮ５０、ＭＭＥ６０もしくはｅＭＭＥ７０へNAS（Non-Access Stratum）:Service Requestメッセージを送信する（Ｓ１８）。図７においては、ＵＥ３０が、ｅＮＢ４３を介してＭＭＥ６０へNAS:Service Requestメッセージを送信している例を示している。また、図７においては、ステップＳ１８において、ｅＮＢ４３は、受信したNAS:Service RequestメッセージをＭＭＥ６０へ送信することを示している。NAS:Service Requestメッセージは、ｅＮＢ４３とＭＭＥ６０との間に設定されたS1インタフェースを介して、ＭＭＥ６０へ送信されるメッセージである。ＵＥ３０は、NAS:Service Requestメッセージに、移行可能なＲＡＴ及びそれぞれのＲＡＴの電波状況等に関する情報を設定してもよい。移行可能なＲＡＴに関する情報は、例えば、通信可能なＲＡＴ情報であってもよい。
【００５７】
ステップＳ１８において、例えば、ＵＥ３０は、ｅＮＢ４３との間の電波環境が最も良好であると判定して、NAS:Service RequestメッセージをｅＮＢ４３へ送信してもよい。もしくは、ＵＥ３０は、ＢＳＣ４１、ＲＮＣ４２、ｅＮＢ４３及びｅｅＮＢ４４からページング処理が実行された場合に、ＵＥ３０において最も早く認識したページング処理を実行している装置に対してNAS:Service Requestメッセージを送信してもよい。ＵＥ３０は、その他の判定基準を用いて、NAS:Service RequestメッセージもしくはNAS:Service Requestメッセージに相当するメッセージを送信する装置を決定してもよい。
【００５８】
図８に進み、ＭＭＥ６０は、サービス種別に関する情報を設定したService Notification RequestメッセージをｅＮＢ４３を介してＵＥ３０へ送信する（Ｓ１９）。また、ＭＭＥ６０は、サービス種別に関する情報とともに、サービス種別において示されるサービスを実行するために適した周波数帯を示す情報もしくはサービス種別において示されるサービスを実行するために適したＲＡＴに関する情報を併せてService Notification Requestメッセージに設定してもよい。
【００５９】
次に、ＵＥ３０は、Service Notification Requestメッセージを受信すると、サービス種別に関する情報を用いて、通信を行うＲＡＴ及び周波数帯を選択する（Ｓ２０）。ここで、ＵＥ３０は、サービス種別に関する情報とともに、ＲＡＴの電波環境、サービスの重要度もしくはそれぞれのＲＡＴにおけるパケット単価等を考慮して、通信を行うＲＡＴを選択してもよい。
【００６０】
次に、ＵＥ３０は、ＲＡＴ及び周波数を選択すると、選択したＲＡＴに関する装置へNAS:Service Requestメッセージを送信する（Ｓ２１）。図８においては、ＵＥ３０は、ＲＮＣ４２を介してＳＧＳＮ５０へNAS:Service Requestメッセージを送信する例を示している。つまり、ＵＥ３０は、NAS:Service Requestメッセージの送信先を、ステップＳ１８におけるＭＭＥ６０からＳＧＳＮ５０へ変更している。つまり、ＵＥ３０は、通信を行うために利用するＲＡＴを、４Ｇから３Ｇへ移行している。
【００６１】
ＵＥ３０は、NAS:Service Requestメッセージに、移行可能なＲＡＴに関する情報、ＲＡＴの変更を実施済みであることを示す情報及びＲＡＴの変更を行った回数に関する情報等を設定してもよい。
【００６２】
例えば、ＳＧＳＮ５０、ＭＭＥ６０及びｅＭＭＥ７０は、ＵＥ３０がＲＡＴの変更を行った回数が、予め定められた回数よりも少ない場合、再度Service Notification Requestメッセージを送信して、ＲＡＴの変更を促してもよい。もしくは、ＳＧＳＮ５０、ＭＭＥ６０及びｅＭＭＥ７０は、NAS:Service Requestメッセージに、ＲＡＴの変更を実施済みであることを示す情報が設定されている場合、Service Notification RequestメッセージをＵＥ３０へ送信することなく、ＵＥ３０が選択したＲＡＴにて呼制御を実行することを決定してもよい。もしくは、ＵＥ３０によって選択されたＲＡＴの輻輳状況もしくは空きリソース状況等を考慮して、ＳＧＳＮ５０、ＭＭＥ６０及びｅＭＭＥ７０は、ＵＥ３０へＲＡＴの変更を促してもよい。
【００６３】
ステップＳ２１以降、移動通信ネットワーク２０は、ＲＮＣ４２を介してＵＥ３０と通信を行うよう呼制御を実行する。
【００６４】
以上説明したように、実施の形態２にかかる通信システムを用いることによって、ＵＥ３０は、着信時に実行されるサービスに応じて適切な周波数帯及びＲＡＴを選択することができる。これによって、複数のＵＥが、新しいＲＡＴ及び高速通信可能な周波数帯等を集中して利用することを防止することができる。
【００６５】
（実施の形態３）
続いて、図９を用いて本発明の実施の形態３にかかるＭＭＥ６０の構成例について説明する。なお、ＳＧＳＮ５０及びｅＭＭＥ７０は、ＭＭＥ６０と同様の構成を有するとして、詳細な説明を省略する。
【００６６】
ＭＭＥ６０は、ＲＡＴ選択部６１、通信部６２及び通信部６３を有している。ＲＡＴ選択部６１、通信部６２及び通信部６３は、プロセッサがメモリに格納されているプログラムを実行することによって処理が実行されるソフトウェアもしくはモジュール等であってもよい。もしくは、ＲＡＴ選択部６１、通信部６２及び通信部６３は、回路等によって構成されてもよい。
【００６７】
通信部６２は、ｅＮＢ４３との間に設定されたS1インタフェースにおいて予め定められたプロトコルを用いてｅＮＢ４３と通信を行う。通信部６３は、ＳＧＷ８０との間に設定されたS11インタフェースにおいて予め定められたプロトコルを用いてＳＧＷ８０と通信を行う。
【００６８】
ＲＡＴ選択部６１は、通信部６３を介してＳＧＷ８０からＵＥ３０に対する着信処理が発生した際に、ＵＥ３０が実行するサービスのサービス種別に関する情報を受け取る。ＲＡＴ選択部６１は、受け取ったサービス種別に関する情報を用いて、ＵＥ３０が通信を行うＲＡＴ及び周波数帯を選択する。ＲＡＴ選択部６１は、選択したＲＡＴ及び周波数帯を通信部６２を介してＵＥ３０へ送信する。
【００６９】
続いて、図１０を用いて本発明の実施の形態３にかかるＲＡＴ選択処理の流れについて説明する。なお、図１０のステップＳ３０が実行される前に、図７のステップＳ１１〜Ｓ１８が実行されていることを前提とする。
【００７０】
ＭＭＥ６０は、図７のステップＳ１８において、ＵＥ３０から送信されたNAS:Service Requestメッセージを受信する。また、NAS:Service Requestメッセージには、移行可能なＲＡＴ及びそれぞれのＲＡＴの電波状況等に関する情報が設定されているとする。
【００７１】
次に、ＭＭＥ６０は、図７のステップＳ１３において受け取ったＵＥ３０が実行するサービスを示すサービス種別に関する情報及び図７のステップＳ１８において受け取ったＵＥ３０の移行可能なＲＡＴ等の情報を用いて、ＵＥ３０が通信すべきＲＡＴ及び周波数帯を決定する（Ｓ３０）。ＭＭＥ６０のＲＡＴ選択部６１が実行するＲＡＴの選択処理は、図３におけるＵＥ３０のＲＡＴ選択部３２が実行するＲＡＴの選択処理と同様である。
【００７２】
次に、ＭＭＥ６０は、ＵＥ３０が通信すべきＲＡＴ及び周波数帯を設定したService Notification RequestメッセージをｅＮＢ４３を介してＵＥ３０へ送信する（Ｓ３１）。ここでは、ＵＥ３０は、ＵＥ３０が通信すべきＲＡＴとして３Ｇを設定し、周波数帯として８００ＭＨｚを設定したとする。
【００７３】
次に、ＵＥ３０は、Service Notification Requestメッセージに設定されたＲＡＴ及び周波数帯を用いて移動通信ネットワーク２０へ接続するために、NAS:Service Requestメッセージを送信する（Ｓ３２）。ＵＥ３０は、ステップＳ３１のService Notification Requestメッセージにおいて、選択すべきＲＡＴとして３Ｇ、選択すべき周波数帯として８００ＭＨｚが設定されていたため、ＲＮＣ４２を介してＳＧＳＮ５０へNAS:Service Requestメッセージを送信する。
【００７４】
ステップＳ３２において、ＵＥ３０は、NAS:Service Requestメッセージの送信先を、ステップＳ１８におけるＭＭＥ６０からＳＧＳＮ５０へ変更している。つまり、ＵＥ３０は、通信を行うために利用するＲＡＴを、ＭＭＥ６０からの移行指示に従い、４Ｇから３Ｇへ移行している。
【００７５】
ＵＥ３０は、図８のステップＳ２１と同様に、NAS:Service Requestメッセージに、移行可能なＲＡＴに関する情報、ＲＡＴの変更を実施済みであることを示す情報及びＲＡＴの変更を行った回数に関する情報等を設定してもよい。
【００７６】
また、ＭＭＥ６０は、ステップＳ３０において、ＵＥ３０が通信すべきＲＡＴが４Ｇであり、ＵＥ３０が使用する周波数帯も図７のステップＳ１８においてNAS:Service Requestメッセージを送信するために用いた周波数帯と同じであると判定したとする。この場合、ＭＭＥ６０は、ステップＳ３１の処理を行うことなく、ＵＥ３０に関する呼制御処理を実行してもよい。
【００７７】
また、ＳＧＳＮ５０は、ステップＳ３２においてNAS:Service Requestメッセージを受信すると、ステップＳ３０における処理と同様に再度ＲＡＴ選択処理を行ってもよい。
【００７８】
以上説明したように、実施の形態３にかかる通信システムを用いることによって、ＭＭＥ６０は、ＵＥ３０に対する着信時に、ＵＥ３０が実行するサービスに応じて、ＵＥ３０が通信すべき適切な周波数帯及びＲＡＴを選択することができる。これによって、複数のＵＥが、新しい通信方式のＲＡＴ及び高速通信可能な周波数帯等を集中して利用することを防止することができる。
【００７９】
（実施の形態４）
続いて、図１１及び図１２を用いて本発明の実施の形態４にかかるキャリアアグリゲーション処理の流れについて説明する。ステップＳ４１及びＳ４２は、図７のステップＳ１１及びＳ１２と同様であるため詳細な説明を省略する。
【００８０】
次に、ＳＧＷ８０は、ＵＥ３０の加入者情報が登録されているＭＭＥ６０へ、サービス種別を設定したＤＤＮメッセージを送信する（Ｓ４３）。
【００８１】
次に、ＭＭＥ６０は、ＲＡＴとして４Ｇに対応し、８００ＭＨｚの周波数帯を使用するｅＮＢ、１．５ＧＨｚの周波数帯を利用するｅＮＢ及び３ＧＨｚの周波数帯を使用するｅＮＢへ、Ｐａｇｅメッセージを送信する（Ｓ４４）。つまり、ＭＭＥ６０は、使用する周波数帯の異なる複数のｅＮＢへＰａｇｅメッセージを送信する。
【００８２】
次に、８００ＭＨｚの周波数帯を使用するｅＮＢ、１．５ＧＨｚの周波数帯を利用するｅＮＢ及び３ＧＨｚの周波数帯を使用するｅＮＢは、Ｐａｇｅメッセージを受信すると、それぞれ自装置の通信エリアに位置するＵＥに対してページング処理を実施する（Ｓ４５）。
【００８３】
次に、ＵＥ３０は、ステップＳ４５におけるページング処理に対する応答メッセージとして８００ＭＨｚの周波数帯を使用するｅＮＢ、１．５ＧＨｚの周波数帯を利用するｅＮＢ及び３ＧＨｚの周波数帯を使用するｅＮＢのいずれかの装置を介してＭＭＥ６０へNAS:Service Requestメッセージを送信する（Ｓ４６）。図１１においては、ＵＥ３０が、１．５ＧＨｚの周波数帯を利用するｅＮＢへNAS:Service Requestメッセージを送信している例を示している。ＵＥ３０は、NAS:Service Requestメッセージに、各周波数帯の電波状況等に関する情報及びキャリアアグリゲーション可能な組み合わせに関する情報を設定してもよい。
【００８４】
ステップＳ４６において、例えば、ＵＥ３０は、１．５ＧＨｚの周波数帯を利用するｅＮＢとの間の電波環境が最も良好であると判定して、NAS:Service Requestメッセージを１．５ＧＨｚの周波数帯を利用するｅＮＢへ送信してもよい。もしくは、ＵＥ３０は、８００ＭＨｚの周波数帯を使用するｅＮＢ、１．５ＧＨｚの周波数帯を利用するｅＮＢ及び３ＧＨｚの周波数帯を使用するｅＮＢからページング処理が実行された場合に、最も早く認識したページング処理を実行している装置に対してNAS:Service Requestメッセージを送信してもよい。ＵＥ３０は、その他の判定基準を用いて、NAS:Service RequestメッセージもしくはNAS:Service Requestメッセージに相当するメッセージを送信する装置を決定してもよい。
【００８５】
図１２に進み、ＭＭＥ６０は、サービス種別に関する情報を設定したService Notification Requestメッセージを１．５ＧＨｚの周波数帯を利用するｅＮＢを介してＵＥ３０へ送信する（Ｓ４７）。また、ＭＭＥ６０は、キャリアアグリゲーションを行う際に、サービス種別に示されるサービスに適した周波数帯の組み合わせに関する情報もService Notification Requestメッセージに設定してもよい。
【００８６】
次に、ＵＥ３０は、Service Notification Requestメッセージを受信すると、サービス種別に関する情報を用いて、キャリアアグリゲーションを行う際に組み合わせる周波数帯を選択する（Ｓ４８）。例えば、ＵＥ３０は、サービス種別に示されるサービスが、低解像度の動画配信である場合、５ＭＨｚの周波数帯域を有する８００ＭＨｚの周波数帯と、１０ＭＨｚの周波数帯域を有する１．５ＨＧｚの周波数帯とを組み合わせてキャリアアグリゲーションを行うことを決定してもよい。もしくは、ＵＥ３０は、サービス種別に示されるサービスが、４Ｋもしくは８Ｋ等の高解像度の動画配信である場合、２０ＭＨｚの周波数帯域を有する３ＧＨｚの周波数帯において、２０ＭＨｚ×２等の、複数の周波数帯域を組み合わせてキャリアアグリゲーションを行うことを決定してもよい。
【００８７】
ここで、ＵＥ３０は、サービス種別に関する情報とともに、それぞれの周波数帯の電波環境、サービスの重要度もしくはそれぞれの周波数帯におけるパケット単価等を考慮して、キャリアアグリゲーションを行う周波数帯の組み合わせを選択してもよい。
【００８８】
次に、ＵＥ３０は、キャリアアグリゲーションを行う際に組み合わせる周波数帯を選択すると、選択した周波数帯を使用するｅＮＢを介してNAS:Service RequestメッセージをＭＭＥ６０へ送信する（Ｓ４９）。ＵＥ３０は、選択した周波数帯に関する情報をNAS:Service Requestメッセージに設定する。
【００８９】
以上説明したように、本発明の実施の形態４にかかる通信システムを用いることによって、ＵＥ３０は、サービス種別に応じてキャリアアグリゲーションにおいて使用する周波数帯の組み合わせを選択することができる。これによって、例えば、広帯域の周波数帯域を必要とするサービスと、狭帯域の周波数帯域を必要とするサービスとにおいて、キャリアアグリゲーションを行う際に、異なる周波数帯を選択することができる。そのため、キャリアアグリゲーションを行う際に、複数のＵＥが、広帯域の周波数帯域を確保することができる周波数帯に集中することを防ぐことができる。
【００９０】
（実施の形態５）
続いて、図１３を用いて本発明の実施の形態５にかかるキャリアアグリゲーション処理の流れについて説明する。なお、図１３のステップＳ５１が実行される前に、図１１のステップＳ４１〜Ｓ４６が実行されていることを前提とする。
【００９１】
ＭＭＥ６０は、図１１のステップ４６において、ＵＥ３０から送信されたNAS:Service Requestメッセージを受信する。また、NAS:Service Requestメッセージには、各周波数帯の電波状況等に関する情報及びキャリアアグリゲーション可能な組み合わせに関する情報が設定されているとする。
【００９２】
次に、ＭＭＥ６０は、図１１のステップＳ４３において受け取ったＵＥ３０が実行するサービスを示すサービス種別に関する情報及び図１１のステップＳ４６において受け取ったＵＥ３０のキャリアアグリゲーション可能な周波数帯の組み合わせ等の情報を用いて、ＵＥ３０がキャリアアグリゲーションにおいて使用すべき周波数帯の組み合わせを決定する（Ｓ５１）。ＭＭＥ６０が実行するキャリアアグリゲーションにおいて使用する周波数帯の組み合わせの選択に関する処理は、図１２のステップＳ４８においてＵＥ３０が実行する処理と同様である。
【００９３】
次に、ＭＭＥ６０は、ＵＥ３０がキャリアアグリゲーションにおいて使用すべき周波数帯の組み合わせに関する情報を設定したService Notification RequestメッセージをＵＥ３０へ送信する（Ｓ５２）。
【００９４】
次に、ＵＥ３０は、ＭＭＥ６０から指示された周波数帯を使用するｅＮＢを介してNAS:Service RequestメッセージをＭＭＥ６０へ送信する（Ｓ５３）。
【００９５】
以上説明したように、本発明の実施の形態５にかかる通信システムを用いることによって、ＭＭＥ６０は、サービス種別に応じてキャリアアグリゲーションにおいて使用する周波数帯の組み合わせを選択することができる。これによって、例えば、広帯域の周波数帯域を必要とするサービスと、狭帯域の周波数帯域を必要とするサービスとにおいて、キャリアアグリゲーションを行う際に、異なる周波数帯を選択することができる。そのため、キャリアアグリゲーションを行う際に、複数のＵＥが、広帯域の周波数帯域を確保することができる周波数帯に集中することを防ぐことができる。
【００９６】
（実施の形態６）
続いて、図１４及び図１５を用いて本発明の実施の形態５にかかるネットワーク接続処理の流れについて説明する。図１３のステップＳ６１及びＳ６２は、図７のステップＳ１１及びＳ１２と同様であるため詳細な説明を省略する。
【００９７】
次に、ＳＧＷ８０は、ＵＥ３０の加入者情報が登録されているＭＭＥ６０及びｅＭＭＥ７０へ、サービス種別を設定したＤＤＮメッセージを送信する（Ｓ６３）。
【００９８】
次に、ＭＭＥ６０は、ＲＡＴとして４Ｇに対応し、８００ＭＨｚの周波数帯を使用するｅＮＢ及び１．５ＧＨｚの周波数帯を利用するｅＮＢへ、Ｐａｇｅメッセージを送信する（Ｓ６４）。つまり、ＭＭＥ６０は、使用する周波数帯の異なる複数のｅＮＢへＰａｇｅメッセージを送信する。また、ｅＭＭＥ７０は、ＲＡＴとして５Ｇに対応し、３ＧＨｚの周波数帯を使用するｅｅＮＢへ、Ｐａｇｅメッセージを送信する（Ｓ６５）。
【００９９】
次に、８００ＭＨｚの周波数帯を使用するｅＮＢ、１．５ＧＨｚの周波数帯を利用するｅＮＢ及び３ＧＨｚの周波数帯を使用するｅｅＮＢは、Ｐａｇｅメッセージを受信すると、それぞれ自装置の通信エリアに位置するＵＥに対してページング処理を実施する（Ｓ６６）。
【０１００】
次に、ＵＥ３０は、ステップＳ６６におけるページング処理に対する応答メッセージとして８００ＭＨｚの周波数帯を使用するｅＮＢ、１．５ＧＨｚの周波数帯を利用するｅＮＢ及び３ＧＨｚの周波数帯を使用するｅｅＮＢのいずれかの装置を介してＭＭＥ６０もしくはｅＭＭＥ７０へNAS:Service Requestメッセージを送信する（Ｓ６７）。図１１においては、ＵＥ３０が、１．５ＧＨｚの周波数帯を利用するｅＮＢへNAS:Service Requestメッセージを送信している例を示している。ＵＥ３０は、NAS:Service Requestメッセージに、各周波数帯の電波状況等に関する情報及びキャリアアグリゲーション可能な組み合わせに関する情報を設定してもよい。
【０１０１】
ステップＳ６６において、例えば、ＵＥ３０は、１．５ＧＨｚの周波数帯を利用するｅＮＢとの間の電波環境が最も良好であると判定して、NAS:Service Requestメッセージを１．５ＧＨｚの周波数帯を利用するｅＮＢへ送信してもよい。もしくは、ＵＥ３０は、８００ＭＨｚの周波数帯を使用するｅＮＢ、１．５ＧＨｚの周波数帯を利用するｅＮＢ及び３ＧＨｚの周波数帯を使用するｅｅＮＢからページング処理が実行された場合に、最も早く認識したページング処理を実行している装置に対してNAS:Service Requestメッセージを送信してもよい。ＵＥ３０は、その他の判定基準を用いて、NAS:Service RequestメッセージもしくはNAS:Service Requestメッセージに相当するメッセージを送信する装置を決定してもよい。
【０１０２】
図１５に進み、ＭＭＥ６０は、Service Notification Requestメッセージを１．５ＧＨｚの周波数帯を利用するｅＮＢを介してＵＥ３０へ送信する（Ｓ６８）。ＭＭＥ６０は、ＵＥ３０が実行するサービスを示すサービス種別に関する情報、及び、ＵＥ３０がキャリアアグリゲーションを行う際に、サービス種別に示されるサービスに適した周波数帯の組み合わせ情報をService Notification Requestメッセージへ設定する。
【０１０３】
次に、ＵＥ３０は、Service Notification Requestメッセージを受信すると、キャリアアグリゲーションを行うか、高速通信を行うことができる他のＲＡＴへ接続するかを判定する（Ｓ６９）。ここで、ＵＥ３０は、サービス種別及び自装置の移動速度に関する情報を用いて、ステップＳ６９における判定処理を行ってもよい。
【０１０４】
例えば、ＵＥ３０は、サービス種別において高解像度の動画配信サービスであることが示されていた場合、３ＧＨｚの周波数帯を使用するｅｅＮＢと通信して４０ＭＨｚの広帯域を確保するか、１．５ＧＨｚの周波数帯を使用するｅＮＢとキャリアアグリゲーションを行い、２０ＭＨｚ×２の広帯域を確保するかを判定する。
【０１０５】
ここで、ＵＥ３０は、自装置の移動速度が遅いもしくは自装置が止まっている場合、３ＧＨｚの周波数帯を使用するｅｅＮＢと通信して４０ＭＨｚの広帯域を確保すると判定してもよい。もしくは、ＵＥ３０は、自装置の移動速度が速い場合、１．５ＧＨｚの周波数帯を使用するｅＮＢとキャリアアグリゲーションを行い、２０ＭＨｚ×２の広帯域を確保すると判定してもよい。移動速度が速い場合、接続が中断されにくい低周波数帯を用いてキャリアアグリゲーションを行うことによって、通信品質の安定した通信を実現することができる。また、止まっている場合もしくは移動速度が遅い場合には、電波の直進性が高い、高周波数帯を用いることによっても通信品質の安定した通信を実現することができる。
【０１０６】
ステップＳ６９において、ＵＥ３０は、３ＧＨｚの周波数帯を使用するｅｅＮＢと通信して４０ＭＨｚの広帯域を確保すると判定したとする。次に、ＵＥ３０は、３ＧＨｚの周波数帯を使用するｅｅＮＢを介してｅＭＭＥ７０へNAS:Service Requestメッセージを送信する（Ｓ７０）。
【０１０７】
また、ステップＳ６９において、ＵＥ３０は、１．５ＧＨｚの周波数帯を使用するｅＮＢとキャリアアグリゲーションを行い、２０ＭＨｚ×２の広帯域を確保すると判定してもよい。言い換えると、ステップＳ６９において、ＵＥ３０は、キャリアアグリゲーションの実施及びキャリアアグリゲーションにおいて使用する周波数帯を決定してもよい。
【０１０８】
以上説明したように、本発明の実施の形態６にかかる通信システムを用いることによって、ＵＥ３０は、サービス種別及び自装置の移動速度に関する情報に応じて、キャリアアグリゲーションを実施するかもしくは高速通信を行うことができる他のＲＡＴへ移行するかを決定することができる。さらに、ＵＥ３０は、キャリアアグリゲーションを行う場合には、使用する周波数帯を決定することができる。
【０１０９】
ＵＥ３０は、自装置の移動速度に応じて、キャリアアグリゲーションを行うか、一つのＲＡＴにて広帯域の周波数帯域を確保するかを決定することができるため、安定した通信品質にて高速通信を行うことができる。
【０１１０】
（実施の形態７）
続いて、図１６を用いて本発明の実施の形態７にかかるネットワーク接続処理の流れについて説明する。なお、図１６のステップＳ８１が実行される前に、図１４のステップＳ６１〜Ｓ６７が実行されていることを前提とする。また、図１４のステップＳ６７において、ＵＥ３０は、自装置が移動する速度に関する情報をNAS:Service Requestメッセージに設定してもよい。
【０１１１】
ＭＭＥ６０は、図１４のステップ６７において、ＵＥ３０から送信されたNAS:Service Requestメッセージを受信する。また、NAS:Service Requestメッセージには、各周波数帯の電波状況等に関する情報及びキャリアアグリゲーション可能な組み合わせに関する情報が設定されているとする。
【０１１２】
次に、ＭＭＥ６０は、図１４のステップＳ６３において受け取ったＵＥ３０の通信におけるサービス種別に関する情報及び図１４のステップＳ６７において受け取ったＵＥ３０のキャリアアグリゲーション可能な周波数帯の組み合わせ等の情報を用いて、ＵＥ３０がキャリアアグリゲーションを行うべきか、高速通信を行うことができる他のＲＡＴへ接続するべきかを判定する（Ｓ８１）。ＭＭＥ６０がステップＳ８１において実行する処理は、図１５のステップＳ６９においてＵＥ３０が実行する処理と同様である。
【０１１３】
次に、ＭＭＥ６０は、ステップＳ８１における判定結果を設定したService Notification RequestメッセージをＵＥ３０へ送信する（Ｓ８２）。ここでは、ＭＭＥ６０は、ＵＥ３０が１．５ＨＧｚの周波数帯を使用するｅＮＢとキャリアアグリゲーションを行い、２０ＭＨｚ×２の広帯域を確保すると判定したとする。
【０１１４】
次に、ＵＥ３０は、ＭＭＥ６０から指示された周波数帯を使用するｅＮＢを介してNAS:Service RequestメッセージをＭＭＥ６０へ送信する（Ｓ８３）。
【０１１５】
以上説明したように、本発明の実施の形態７にかかる通信システムを用いることによって、ＭＭＥ６０は、サービス種別及び自装置の移動速度に関する情報に応じて、キャリアアグリゲーションを実施するかもしくは高速通信を行うことができる他のＲＡＴへ移行するかを決定することができる。さらに、ＵＥ３０は、キャリアアグリゲーションを行う場合には、使用する周波数帯を決定することができる。
【０１１６】
ＵＥ３０は、自装置の移動速度に応じて、キャリアアグリゲーションを行うか、一つのＲＡＴにて広帯域の周波数帯域を確保するかを決定することができるため、安定した通信品質にて高速通信を行うことができる。
【０１１７】
上述の実施の形態では、本発明をハードウェアの構成として説明したが、本発明は、これに限定されるものではない。本発明は、ＵＥ、ｅＮＢ及びＭＭＥにおける処理を、ＣＰＵ（Central Processing Unit）にコンピュータプログラムを実行させることにより実現することも可能である。
【０１１８】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１９】
なお、本発明は上記実施の形態に限られたものではなく、趣旨を逸脱しない範囲で適宜変更することが可能である。
【０１２０】
以上、実施の形態を参照して本願発明を説明したが、本願発明は上記によって限定されるものではない。本願発明の構成や詳細には、発明のスコープ内で当業者が理解し得る様々な変更をすることができる。
【０１２１】
この出願は、２０１５年３月１８日に出願された日本出願特願２０１５−０５４５３６を基礎とする優先権を主張し、その開示の全てをここに取り込む。
【符号の説明】
【０１２２】
１０  移動通信端末
１１  通信部
１２  通信部
１３  決定部
２０  移動通信ネットワーク
３０  ＵＥ
３１  アプリケーション
３２  ＲＡＴ選択部
３３  通信部
３４  通信部
３５  通信部
３６  通信部
４１  ＢＳＣ
４２  ＲＮＣ
４３  ｅＮＢ
４４  ｅｅＮＢ
５０  ＳＧＳＮ
６０  ＭＭＥ
６１  ＲＡＴ選択部
６２  通信部
６３  通信部
７０  ｅＭＭＥ
８０  ＳＧＷ
８１  ＰＧＷ
８２  ＰＣＲＦ
８３  サービスサーバ
８４  外部ネットワーク
【図１】
2016147602.tif 000003
【図２】
2016147602.tif 000004
【図３】
2016147602.tif 000005
【図４】
2016147602.tif 000006
【図５】
2016147602.tif 000007
【図６】
2016147602.tif 000008
【図７】
2016147602.tif 000009
【図８】
2016147602.tif 000010
【図９】
2016147602.tif 000011
【図１０】
2016147602.tif 000012
【図１１】
2016147602.tif 000013
【図１２】
2016147602.tif 000014
【図１３】
2016147602.tif 000015
【図１４】
2016147602.tif 000016
【図１５】
2016147602.tif 000017
【図１６】
2016147602.tif 000018
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
第１の周波数帯を利用して移動通信ネットワークへ接続する第１の通信手段と、
第２の周波数帯を利用して前記移動通信ネットワークへ接続する第２の通信手段と、
前記移動通信ネットワークを介した通信を行う際に、前記移動通信ネットワークを介した通信において実行するサービスを示すサービス種別を用いて前記第１の通信手段及び前記第２の通信手段のうち少なくとも１つを利用して前記移動通信ネットワークへ接続することを決定する決定手段と、を備える移動通信端末。
【請求項２】
前記決定手段は、
前記サービス種別を用いて、さらに、適用する無線アクセス技術（Radio Access Technology）を決定する、請求項１に記載の移動通信端末。
【請求項３】
前記決定手段は、
前記移動通信ネットワークへ接続することができる前記無線アクセス技術に関する情報を前記第１の通信手段もしくは前記第２の通信手段を介して前記移動通信ネットワークへ送信する、請求項２に記載の移動通信端末。
【請求項４】
前記決定手段は、
前記サービス種別を用いて、さらに、キャリアアグリゲーションにおいて用いる周波数帯を決定する、請求項１乃至３のいずれか１項に記載の移動通信端末。
【請求項５】
前記決定手段は、
前記移動通信端末への着信時に、前記第１の通信手段及び前記第２の通信手段の少なくとも一方を介して前記移動通信ネットワークから送信された前記サービス種別に関する情報を受信する、請求項１乃至４のいずれか１項に記載の移動通信端末。
【請求項６】
前記決定手段は、
前記移動通信ネットワークから接続を指示された周波数帯を利用するように、前記第１の通信手段及び前記第２の通信手段の少なくとも１つを利用して前記移動通信ネットワークへ接続することを決定する、請求項１乃至５のいずれか１項に記載の移動通信端末。
【請求項７】
前記決定手段は、
前記サービス種別が音声通信を示す場合、前記第１の通信手段及び前記第２の通信手段の内、利用する周波数帯が低い通信手段を利用して前記移動通信ネットワークへ接続することを決定する、請求項１乃至６のいずれか１項に記載の移動通信端末。
【請求項８】
移動通信ネットワークに配置された通信制御装置であって、
移動通信端末が前記移動通信ネットワークを介した通信を行う際に、前記移動通信端末から送信された前記移動通信端末が利用可能な周波数帯に関する情報を受信する通信手段と、
前記移動通信端末が前記移動通信ネットワークを介した通信において実行するサービスのサービス種別を用いて、前記移動通信端末が利用する周波数帯を決定し、決定した周波数帯に関する情報を前記移動通信端末へ送信する選択手段と、を備える通信制御装置。
【請求項９】
前記選択手段は、
前記サービス種別を用いて、さらに、適用する無線アクセス技術（Radio Access Technology）を決定する、請求項８に記載の通信制御装置。
【請求項１０】
前記選択手段は、
前記サービス種別を用いて、さらに、キャリアアグリゲーションにおいて用いる周波数帯を決定する、請求項８又は９に記載の通信制御装置。
【請求項１１】
前記移動通信端末への着信時に、
前記選択手段は、
前記サービス種別が設定されたDownlink Date Notificationメッセージを受信する、請求項８乃至１０のいずれか１項に記載の通信制御装置。
【請求項１２】
移動通信ネットワークを介した通信を行う際に、前記移動通信ネットワークを介した通信において実行するサービスのサービス種別を用いて、第１の周波数帯を利用して前記移動通信ネットワークへ接続する第１の通信部、及び、第２の周波数帯を利用して前記移動通信ネットワークへ接続する第２の通信部のうち少なくとも１つを利用して前記移動通信ネットワークへ接続することを決定する、移動通信端末における通信制御方法。
【請求項１３】
移動通信端末が移動通信ネットワークを介した通信を行う際に、前記移動通信端末から送信された前記移動通信端末が利用可能な周波数帯に関する情報を受信し、
前記移動通信端末が前記移動通信ネットワークを介した通信において実行するサービスのサービス種別を用いて、前記移動通信端末が利用する周波数帯を決定し、
決定した周波数帯に関する情報を前記移動通信端末へ送信する、通信制御装置における通信制御方法。
【請求項１４】
移動通信ネットワークを介した通信を行う際に、前記移動通信ネットワークを介した通信において実行するサービスのサービス種別を用いて、第１の周波数帯を利用して前記移動通信ネットワークへ接続する第１の通信部、及び、第２の周波数帯を利用して前記移動通信ネットワークへ接続する第２の通信部のうち少なくとも１つを利用して前記移動通信ネットワークへ接続することを決定することをコンピュータに実行させるプログラム。
【請求項１５】
移動通信端末が移動通信ネットワークを介した通信を行う際に、前記移動通信端末から送信された前記移動通信端末が利用可能な周波数帯に関する情報を受信し、
前記移動通信端末が前記移動通信ネットワークを介した通信において実行するサービスのサービス種別を用いて、前記移動通信端末が利用する周波数帯を決定し、
決定した周波数帯に関する情報を前記移動通信端末へ送信することをコンピュータに実行させるプログラム。
【国際調査報告】
2016147602.tif 000019
2016147602.tif 000020
2016147602.tif 000021
2016147602.tif 000022